(57)【要約】      （修正有）【課題】暗いところまたは光の弱い環境下で荷物を取り出すことができる旅行かばんを提供する。【解決手段】旅行かばんは第一シェル、第二シェルおよび照明装置を備える。第一シェルは第一筐体１１および第一フレーム１３を有する。第一フレームは第一筐体の開口周縁部に配置され、穿孔２５を有する。第二シェルは第二筐体３１および第二フレーム３３を有する。第二フレームは第二筐体の開口周縁部に配置され、第一フレームと合わさる。照明装置５０は本体５１、ランプ５３および押しボタン５５を有する。本体は第一フレームの内側に位置する。ランプは本体に配置される。押しボタンは本体に突出と引き下がり可能に配置され、かつ第一フレームの穿孔を貫通する。第一、第二フレームが合わさると押しボタンは第二フレームに押さえられ、ランプを消灯し、第一、第二フレームが分離すると、押しボタンは第二フレームから解放され、ランプを点灯させる。【選択図】図４
0003207892.tif 000002
【実用新案登録請求の範囲】
【請求項１】
第一シェル、第二シェルおよび照明装置を備え、
前記第一シェルは、第一筐体および第一フレームを有し、前記第一フレームは前記第一筐体の開口周縁部に配置され、穿孔を有し、
前記第二シェルは、第二筐体および第二フレームを有し、前記第二フレームは前記第二筐体の開口周縁部に配置され、前記第一フレームと合わさり、
前記照明装置は、本体、ランプおよび押しボタンを有し、前記本体は前記第一フレームの内側に位置し、前記ランプは前記本体に配置され、前記押しボタンは前記本体に突出したり引き下がったりできるように配置され、かつ前記第一フレームの前記穿孔を貫通し、前記ランプの消灯および点灯を制御し、
前記第一フレームと前記第二フレームとが合わさると、前記押しボタンは前記第二フレームに押さえられ、前記ランプを消灯させ、
前記第一フレームと前記第二フレームとが分離すると、前記押しボタンは前記第二フレームから解放され、前記ランプを点灯させることを特徴とする旅行かばん。
【請求項２】
前記第一フレームは、凹状溝を有し、前記穿孔は前記凹状溝に位置し、前記第二フレームは突出縁部を有し、前記第一フレームと前記第二フレームとが合わさる際、前記突出縁部は前記凹状溝に入り込み、前記押しボタンを押さえることを特徴とする請求項１に記載の旅行かばん。
【請求項３】
前記第一フレームは、さらに第一外壁面、第一底部壁面および第一内壁面を有し、前記第一底部壁面は前記第一外壁面から奥に伸びて形成され、前記第一内壁面は前記第一外壁面に平行するように前記第一底部壁面から伸びて形成され、前記第一外壁面、前記第一底部壁面および前記第一内壁面は環状に分布することで前記凹状溝を構成することを特徴とする請求項２に記載の旅行かばん。
【請求項４】
前記第二フレームは、さらに嵌合溝を有し、前記嵌合溝は前記第二フレームの前記突出縁部の外周に位置し、前記第一フレームの前記第一外壁面は前記嵌合溝に入り込むことを特徴とする請求項３に記載の旅行かばん。
【請求項５】
前記照明装置は、さらに電源スイッチを有し、前記電源スイッチは前記照明装置の前記本体に配置されることを特徴とする請求項１に記載の旅行かばん。
【考案の詳細な説明】
【技術分野】
【０００１】
本考案は旅行かばん、特に照明装置付き旅行かばんに関するものである。
【背景技術】
【０００２】
交通機構および交通ネットワークの発展に伴って陸上、海上または空中の交通手段を利用し、都会と地方の間に迅速に行ったり来たりできるようになる。交通機関を搭乗する際、日用品、服装、電子製品例えばカメラなどの荷物を携帯することが一般的であるため、収納空間、耐用性、負荷重量などの性能が一般のリュックサックよりいい旅行かばんを使用することが当然である。しかしながら、暗いところまたは光の弱い環境下で旅行かばんから荷物を取り出す際、手の感覚または弱い光に頼って探し物を取り出す時間が掛かるのはともかく、荷物の収納位置が勝手に変わったり、荷物を破損させたりする可能性がある。従って、上述したとおり、現有の旅行かばんは改善の余地がある。
【考案の概要】
【考案が解決しようとする課題】
【０００３】
本考案は、暗いところまたは光の弱い環境下で旅行かばん内の荷物を取り出す利便性をはかることができる旅行かばんを提供することを主な目的とする。
【課題を解決するための手段】
【０００４】
上述した課題を解決するため、旅行かばんは第一シェル、第二シェルおよび照明装置を備える。第一シェルは第一筐体および第一フレームを有する。第一フレームは第一筐体の開口周縁部に配置され、穿孔を有する。第二シェルは第二筐体および第二フレームを有する。第二フレームは第二筐体の開口周縁部に配置され、第一フレームと合わさる。照明装置は本体、ランプおよび押しボタンを有する。本体は第一フレームの内側に位置する。ランプは本体に配置される。押しボタンは本体に突出したり引き下がったりできるように配置され、かつ第一フレームの穿孔を貫通し、ランプの消灯および点灯を制御することができる。第一フレームと第二フレームとが合わさると押しボタンは第二フレームに押さえられ、ランプを消灯させる。第一フレームと第二フレームとが分離すると、押しボタンは第二フレームから解放され、ランプを点灯させる。
【０００５】
上述したとおり、旅行かばんを開ければ、押しボタンが第二フレームから解放され、ランプを点灯させるため、光線照射によって旅行かばん内の荷物から探し物を見付けることができる。
【図面の簡単な説明】
【０００６】
【図１】本考案の一実施形態による旅行かばんを示す斜視図である。
【図２】本考案の一実施形態による旅行かばんが開いた状態を示す斜視図である。
【図３】本考案の一実施形態による旅行かばんを示す側面図の一部分である。
【図４】本考案の一実施形態による旅行かばんが開いた状態を示す断面図の一部分である。
【図５】本考案の一実施形態による旅行かばんが閉じた状態を示す断面図の一部分である。
【考案を実施するための形態】
【０００７】
（一実施形態）
図１および図２示すように、本考案の一実施形態による旅行かばん１は、第一シェル１０、第二シェル３０および照明装置５０を備える。
【０００８】
図２から図４に示すように、第一シェル１０は第一筐体１１および第一フレーム１３を有する。第一フレーム１３は第一筐体１１の開口周縁部１５に配置され、穿孔２５を有する。第一フレーム１３の構造は下記の形態に限らず、多様な形態を有する。本実施形態において、第一フレーム１３は第一外壁面１７、第一底部壁面１９および第一内壁面２１を有する。第一外壁面１７は第一筐体１１の開口周縁部１５に連結される。第一底部壁面１９は第一外壁面１７から奥に伸びて形成される。第一内壁面２１は第一外壁面１７に平行するように第一底部壁面１９から伸びて形成される。図３および図４に示すように、第一外壁面１７、第一底部壁面１９および第一内壁面２１は環状に分布することで凹状溝２３を構成する。穿孔２５は第一底部壁面１９に位置する。
【０００９】
図２から図4に示すように、第二シェル３０は第二筐体３１および第二フレーム３３を有する。第二フレーム３３は第二筐体３１の開口周縁部３５に配置される。第二フレーム３３と第一フレーム１３とは合わさる。第二フレーム３３の構造は下記の形態に限らず、多様な形態を有する。本実施形態において、第二フレーム３３は第二外壁面３７、第二底部壁面３９および第二内壁面４１を有する。第二外壁面３７は第二筐体３１の開口周縁部３５に連結される。第二底部壁面３９は第二外壁面３７から奥に伸びて形成される。第二内壁面４１は第二外壁面３７に平行するように第二底部壁面３９から伸びて形成される。図４に示すように、第二内壁面４１からなる突出縁部４５は第一フレーム１３の凹状溝２３に入り込む。第二外壁面３７、第二底部壁面３９および第二内壁面４１は環状に分布することで嵌合溝４３を構成する。嵌合溝４３は突出縁部４５の外周に位置する。第一フレーム１３の第一外壁面１７の末端部は嵌合溝４３に入り込む。図１に示すように、本実施形態は第一シェル１０を図面の後方に配置し、第一シェル１０にグリップを取り付け、第二シェル３０を図面の前方に配置する。別の実施形態は第一シェルおよび第二シェルの位置を入れ替え、グリップを第二シェルに取り付けることができる。
【００１０】
図２から図４に示すように、照明装置５０は本体５１、二つのランプ５３、押しボタン５５および電源スイッチ５７を有する。本体５１は第一フレーム１３の内側に位置する。二つのランプ５３は本体５１に配置され、白熱電球、ＬＥＤなどの任意の種類の電球または直管形ランプから構成される。二つのランプ５３は電源（図中未表示）から給電され、発光する。押しボタン５５は本体５１に突出したり引き下がったりできるように配置され、かつ第一フレーム１３の穿孔２５を貫通する。電源スイッチ５７は電源の開閉を制御するため本体５１に配置され、レバースイッチ、タッチスイッチまたはプッシュスイッチから構成される。
【００１１】
本実施形態において、押しボタン５５は本体５１に突出したり、引き下がったりすることによって二つのランプ５３の点灯および消灯を制御する。続いて、図４および図５に基づいて詳しい説明を進める。
【００１２】
図４に示すように、旅行かばん１を開ける、即ち第一フレーム１３と第二フレーム３３とを分離させると、第二フレーム３３の突出縁部４５は第一フレーム１３の穿孔２５から逸脱する。このとき照明装置５０の押しボタン５５は突出縁部４５から解放され、本体５１に突出し、第一フレーム１３の第一底部壁面１９に露出すると同時に電源が入り、二つのランプ５３を点灯させる。
【００１３】
図５に示すように、旅行かばん１を閉める、即ち第一フレーム１３と第二フレーム３３とを嵌め合わせると、第二フレーム３３の突出縁部４５は第一フレーム１３の凹状溝２３に入り込み、照明装置５０の押しボタン５５を押さえる。このとき押しボタン５５は突出縁部４５に押さえられ、全体または一部分が本体５１内に引き下がると同時に電源を遮断し、二つのランプ５３を消灯させる。第一フレーム１３の第一外壁面１７は第二フレーム３３の嵌合溝４３に入り込む。
【００１４】
上述したとおり、暗いところまたは光の弱い環境下で旅行かばん１を開ける際、二つのランプ５３の照射によって旅行かばん１の内部から荷物を取り出す利便性をはかることができる。旅行かばん１を閉めると、二つのランプ５３が消灯し、電力を節約することができる。一方、旅行かばん１を開けて直接電源スイッチ５７（レバースイッチ、タッチスイッチまたはプッシュスイッチ）を制御すれば、二つのランプ５３に電気を遮断または開通することができる。
【００１５】
旅行かばん１は上述した構造に限らず、構造が変わってもよい。例えば、凹状溝２３と突出縁部４５の組み合わせによって旅行かばん１を緊密に閉め、第一フレーム１３と第二フレーム３３との間の隙間から内部の物が落下するか、外部の物がその隙間に混入することを抑制することができる。第一フレーム１３および第二フレーム３３は上述した構造に限らず、構造が変わってもよい。つまり、押しボタン５５を第一フレーム１３の穿孔２５に露出させることさえできればよい。第二フレーム３３に嵌合溝４３は配置されなくてもよい。ランプ５３の数および位置は状況に応じて調整されてもよい。ランプ５３の照射によって旅行かばん１の内部を明るくすることさえできればよい。照明装置５０に電源スイッチ５７は配置されなくてもよい。
【００１６】
以上、本考案は、上記実施形態になんら限定されるものではなく、考案の趣旨を逸脱しない範囲において種々の形態で実施可能である。
【符号の説明】
【００１７】
１：旅行かばん、
１０：第一シェル、
１１：第一筐体、
１３：第一フレーム
１５：開口周縁部、
１７：第一外壁面、
１９：第一底部壁面、
２１：第一内壁面、
２３：凹状溝、
２５：穿孔、
３０：第二シェル、
３１：第二筐体、
３２：第二フレーム
３５：開口周縁部、
３７：第二外壁面、
３９：第二底部壁面、
４１：第二内壁面、
４３：嵌合溝、
４５：突出縁部、
５０：照明装置、
５１：本体、
５３：ランプ、
５４：押しボタン、
５５：電源スイッチ
【図１】
0003207892.tif 000003
【図２】
0003207892.tif 000004
【図３】
0003207892.tif 000005
【図４】
0003207892.tif 000006
【図５】
0003207892.tif 000007